(57)【要約】【課題】取付板を容器に廻動自在に取着して一体とした収納容器であって、収納容器として居間や台所などで使用することができ、また、トイレで使用する収納物を入れた場合に、トイレットペーパーホルダーにも簡単に取付けることができるとともに、取出口を上面として使用しやすくした収納容器を提供すること。【解決手段】容器本体と底蓋とからなる収納容器であって、底蓋の底板に、取付板が取着されていることを特徴とする。【選択図】        図１
2004352338.tif 000002
【特許請求の範囲】
【請求項１】
容器本体と底蓋とからなる収納容器であって、
底蓋の底板に、取付板が取着されていることを特徴とする取付板付収納容器。
【請求項２】
上蓋と容器本体とからなる収納容器であって、
容器本体の底板に取付板が取着されていることを特徴とする取付板付収納容器。
【請求項３】
取付板に切込みを刻設し、屈曲したストッパー板を形成したことを特徴とする請求項１、２記載の取付板付収納容器。
【発明の詳細な説明】
【０００１】
【発明の属する技術分野】
本発明は、取付板を取着した容器、とくに容器の底面に取付板を廻動自在に取着し、所望の場所で使用可能とした収納容器に関する。
【０００２】
【従来の技術】
頂壁に開閉蓋を設けた容器本体と、底蓋とからなるティッシュペーパー等の収納容器において、容器の底蓋を挟持するように取付ホルダーを着脱自在として装着した収納容器は、従来より知られている（例えば、特許文献１参照。）。
【０００３】
【特許文献１】
特開２００１−１４５５８３号公報
【０００４】
上記従来の収納容器は、取付ホルダーを取付けない状態で、台所の台上に置いたり、或いは居間の卓上、机上に置いて使用したりするようにし、また、収納容器に取付ホルダーを装着し、取付ホルダーの取付板を、ビス、または両面テープで壁面に固定したり、或いはトイレのペーパーホルダーの差込口に差込んで使用していた。
【０００５】
また、蓋体と容器本体とからなる収納容器で、容器本体の底面に取付板を保持させるようにし、そのままの状態で、台所や居間の卓上等において使用し、また、必要に応じてトイレ用品を収納し、取付板を底面から取り外して端部を容器本体の側壁下端部に設けた取付口に装着し、取付板をトイレのペーパーホルダーの差込口に差込んで使用するようにした収納容器も市販されている。
【０００６】
【発明が解決しようとする課題】
しかしながら、上記各収納容器は、いずれも容器本体と取付ホルダー、或いは取付板とは別体となっており、取付板を使用するにあたっては、前記特許文献記載の容器では、まず、取付ホルダーを容器に装着した後に、壁面に固定したり、取付板をトイレのペーパーホルダーに装着するようにしているので、取付けに手間がかかった。
また、上記市販の容器は、取付板を容器の底面から取外して、端部を容器本体の取付口に装着してから使用場所に取付けるので、特許文献記載のものと同様に取付けに手間がかかった。
【０００７】
また、上記特許文献記載のものでは、取付ホルダーを取外した状態で使用した場合に、取付ホルダーの保管場所を忘れたり、或いは他の物品とまぎれたりして、取付ホルダーを紛失するおそれもあった。
【０００８】
本発明は、上記問題を解決することを課題とし、取付板を容器に廻動自在に取着して一体とした収納容器であって、収納容器として居間や台所などで使用することができ、また、トイレで使用する収納物を入れた場合に、トイレットペーパーホルダーにも簡単に取付けることができるとともに、取出口を上面として使用しやすくした収納容器を提供することを目的とする。
【０００９】
【課題を解決するための手段】
本発明は、上記の課題を解決するため、取付板付収納容器として、容器本体と底蓋とからなる収納容器であって、底蓋の底板に、取付板が取着されていることを特徴とする構成を採用する。
【００１０】
別実施態様として、上蓋と容器本体とからなる収納容器であって、容器本体の底板に取付板が取着されていることを特徴とする構成を採用する。
【００１１】
取付板の実施態様として、取付板に切込みを刻設し、屈曲したストッパー板を形成したことを特徴とする構成を付加する。
【００１２】
また、収納容器の一実施態様として、容器の構造を上蓋と容器本体からなる収納容器あるいは上部容器体と下部容器体とからなる収納容器として、下容器本体或いは下部容器体の底板に取付板を取着した収納容器も採用できる。
【００１３】
【発明の実施の形態】
次に、本発明の第１実施形態について、図面を参照して説明する。
図１において、Ａは、ティッシュ、化粧用コットン類、使い捨て雑巾用布片等、使用場所の用途に応じた収納物を収納した収納容器である。
【００１４】
収納容器Ａは、容器本体Ａ１と底蓋Ａ２とからなり、容器本体Ａ１は、頂壁１と側周壁２とからなっている。
頂壁１には、収納物の取出口３が設けられ、該取出口３を覆う開閉蓋４が蝶番５を介して取着されている。
蝶番５の反対側には、開閉蓋４を係止する操作板６が設けられている。
【００１５】
開閉蓋４は、弾性体により、蝶番５を軸として開蓋方向に付勢されており、操作板６は、開閉蓋４を閉蓋状態に係止するとともに、押圧することによって開閉蓋４の係止を解き、開閉蓋４が弾性体の付勢により開蓋されるようになっている。
【００１６】
図２〜４に示すように、側周壁２の下方部は、厚肉の段部７とし、長手側側周壁の段部は、山形の段部７ａとなっている。
段部７の下端部周縁には、フランジ８が突設されている。
側周壁２のフランジ８の下方の下端部は、膨出突条９を設けた係止部１０となっている。
フランジ８の所定の位置には、底蓋Ａ２の位置合わせのために、切欠部１１が設けられている。
【００１７】
底蓋Ａ２は、底板１５と、底板１５に取着された取付板１６、底板１５の周縁に連結部１７を介して連設された係合部１８とからなっている。
底板１５の中央部には、ほぼ取付板１６の厚さに相当する深さを有する平底の凹部１９が設けられ、容器本体Ａ１の開閉蓋４の蝶番５側に対応する凹部１９の端縁には、図４（ａ）、図５（ａ）に示すように、断面弧状の取付凹部２０が設けられている。
取付凹部２０の両端面には、軸受け部２１が設けられている。
【００１８】
凹部１９の両側には、指先が挿入できる挿入部２２が設けられ、両側端縁の取付凹部２０の反対側の端部には、図５（ｂ）に示すように、底板１５表面から延び、取付板１６の端縁に係合する係止部２３が設けられている。
【００１９】
取付板１６は、凹部１９とほぼ同形の板体で、所定の端縁２４の両端には、取付片２５が設けられ、該取付片２５の端面には、前記軸受部２１に嵌挿される枢着ピン２６が突設されている。
図５（ｂ）に示すように、取付片２５の反対側の両側端縁は、係止部２３と係合する係合部２７となっている。
【００２０】
図４（ｂ）に示すように、係合部１８は、内壁２８と外壁２９を具えており、外壁２９には、内方に膨出する係止突条３０が設けられている。
【００２１】
外壁２９外側の所定の位置には、閉蓋時に容器本体Ａ１の係止部１０の切欠部１１に係合する位置合わせ用の突起片３１が立設され、底壁Ａ２を一定位置関係で容器本体Ａ１に嵌合し、閉蓋できるようにしている。
【００２２】
次に、上記第１実施形態の収納容器の使用態様と作用効果について説明する。
収納容器Ａには、使用場所、用途に応じて必要な収納物が収納されており、居間の卓上、または床上、或いは台所等の台上などにおいて使用される場合には、普通のティッシュや、手指の清拭用のウェットティッシュ、或いは除菌、清拭用のウェットティッシュ、或いは化粧用コットン、使い捨ての雑巾用布類等が収納される。
【００２３】
収納物の収納容器Ａへの収納にあたっては、容器本体Ａ１の底蓋Ａ２を開蓋し、収納物を収納して閉蓋する。
収納物を使い切ったときには、底蓋Ａ２を開蓋して詰替え用の収納物を収納する。
【００２４】
収納容器を居間の床上、卓上、或いは台所の卓上、事務所等の机上等に置いて使用する場合には、取付板１６を上方に廻動させ、自由端側の係合部２７を底板１５の係止部２３に押込み、係合させると、取付板１６は凹部１９内に維持され、妄動しない。
【００２５】
次に、トイレのペーパーホルダーに取付けて使用する場合について説明する。
図７に示すように、トイレのペーパーホルダーＢは、壁面等に取付ける固定板３５と一対の側板３６、固定板３５に近接して側板３６に枢着されたペーパー押え３７とからなっており、固定板３５とペーパー押え３７の端縁との間には、間隙が設けられ、差込口３８となっている。
側板３６には、ペーパー保持具が配設され、トイレットペーパー３９が保持されるようになっている。
【００２６】
収納容器ＡのペーパーホルダーＢへの取付けは、底蓋Ａ２の挿入部２２に指先をいれ、取付板１６を引き出すと、取付板１６の係合部２７は、底板１５の係止部２３との係合が外され、取付板１６を廻動させることができる。
図６に示すように、取付板１６は、その表面が、取付凹部２０の垂直端面２０ａに接するまで廻動され、底板１５に対して、ほぼ垂直に垂下される。
【００２７】
次いで、取付板１６を、図７に示すように、ペーパーホルダーＢの固定板３５と、ペーパー押え３７との間の差込口３８に差込むと、収納容器Ａを、ペーパーホルダーＢの上方に収納容器Ａの頂壁１を上にして保持することができる。
収納物を取出すときは、操作板６を押さえると開閉蓋４が開いて、取出口３から収納物を取出すことができる。
【００２８】
その際、底蓋Ａ２は容器本体Ａ１に位置決めされ閉蓋されているので、取付板１６は常に開閉蓋４の蝶番５側で底板１５に枢着されており、操作板６が手前側にくるので、収納物を開いた開閉蓋４の手前から引出すことができ、使い勝手はよい。
【００２９】
トイレットペーパーを取替えるときには、ペーパー押え３７は、水平面より上に廻動させられることもあるが、そのときには、収納容器Ａは、ペーパー押え３７の廻動に連れて上方に持ち上げられる。
取付板１６は一定の長さを有しており、端縁は、差込口３８より上には上昇しないので、トイレットペーパーの取替えには、何ら支障を起こさない。
【００３０】
次に、本発明の第２実施形態について説明する。
本実施形態は、第１実施形態において、底蓋の構成を変更したもので、容器本体の説明は省略し、底蓋について変更点を中心に説明する。
図８，９に示すように、底蓋Ａ２ａは、底板４０と該底板４０に取着された取付板４１、および底板４０の周縁に連結部４２を介して連設された係合部４３とからなっている。
【００３１】
底板４０には、第１実施形態と同様に、凹部４４と軸受け部４５を設けた取付凹部４６、および指先の挿入部４７が配設されている。
前実施形態と同様に、凹部４４両側の端縁には、係止部４８が形成されている。
【００３２】
取付板４１は、第１実施形態と同様に、枢着ピン４９を具えた取付片５０を端縁の両側に設け、取付片５０の反対側の端縁両側は、係合部５１となっている。
取付板４１の中央部には、コの字形の切込み５２が刻設され、への字形に屈曲されたストッパー板５３が形成されており、ストッパー板５３の裏面は、取着時には底板４０の挿入部４７内に位置するようになっている。
【００３３】
本実施形態は、第１実施形態と同様に使用され、同一の作用効果を得ることができ、さらに、収納容器ＡをペーパーホルダーＢへ取付ける場合には、取付板４１にはストッパー板５３が設けられているので、差込口３８の間隙が広い場合にも、弛みなく嵌挿され、抜出すことが防止される。
【００３４】
次に、第３実施形態について説明する。
本実施形態は、収納容器の形状を変更したもので、図１０に示すように、収納容器Ａａは、上蓋６０と容器本体６１とからなり、上蓋６０は、頂壁６２と側周壁６３とを具えている。
【００３５】
頂壁６２には、前記各実施形態と同様に、収納物の取出口と、取出口を覆う開閉板と、押圧により開閉板を開蓋する操作板が設けられている。
側周壁６３の下端には、内方に膨出する係合突条６４を設けた係合段部６５が設けられている。
【００３６】
容器本体６１は、上蓋６０の側周壁６３と同形の側周壁６６と底壁６７とからなり、側周壁６６の上端部には、上端に外方に膨出し、上蓋６０の係合突条６４に係合する係止突条６８を設けた係止段部６９が設けられている。
底壁６７は、接地端縁７０と底板７１とからなり、底板７１は、前記第２実施形態と同一の構成を具え、底板７１に設けられた取付凹部７２には、取付片７３を介して取付板７４が取着されている。
【００３７】
本実施形態の作用効果は、収納物の収納にあたって、上蓋６０を開いて収納物を容器本体６１に載置し、上蓋６０を閉じることによって収納物を収納するようにしている点で、前記第２実施形態と相違しているが、収納容器の使用、トイレのペーパーホルダーの取付等は第２実施形態と同一の作用効果が得られる。
【００３８】
上記第３実施形態においては、上蓋６０と容器本体６１との高さをほぼ等しいものとして、上部容器体と下部容器体としてもよく、さらに、上蓋６０と容器本体６１、或いは上部容器体とを蝶番によって取着し、上蓋６０、或いは上部容器体を廻動自在に開閉する様にしてもよい。
上蓋６０と容器本体６１との高さの比は適宜に選択できる。
また、取付板を壁と家具の間隙やその他の間隙などに嵌挿して使用した場合においても、収納容器からの収納物の取出しなどを安定して行うことができる。
【００３９】
【発明の効果】
本発明は、上記のように構成されているから、次の効果を奏する。
取付板が、収納容器の底蓋、または容器本体の底板に廻動自在に取着されているから、収納容器として単独に使用する場合は、取付板を底板に接合するようにし、ペーパーホルダーに取付けて使用する場合には、取付板を下方に廻動させ、ほぼ直角に垂下するようにし、ペーパーホルダーの差込口に嵌挿するだけで簡単に取付けられるので、使用が簡便となった。
【００４０】
また、ペーパーホルダーの差込口だけでなく、壁と家具との間隙などにも取付板を嵌挿することにより、収納容器を安定して使用することができるようになった。
【００４１】
ペーパーホルダーや壁と家具の間隙などへの取付時には、取付板は、収納容器の底板よりほぼ垂直に垂下させるので、収納容器頂壁の開閉蓋が常に上面となり、取出しが簡易にできるようになった。
また、取付板は、常時収納容器に取着されているので、紛失することがなくなった。
【図面の簡単な説明】
【図１】本発明第１実施形態収納容器の斜視図である。
【図２】収納容器の一部断面正面図である。
【図３】収納容器の底面図である。
【図４】（ａ）は収納容器の一部断面側面、（ｂ）は要部の拡大説明図である。
【図５】要部の説明図で、（ａ）は図４（ａ）のＡ−Ａ線における切断面図、（ｂ）は同じくＢ−Ｂ線における切断面図である。
【図６】取付板の廻動垂下時の一部断面側面図である。
【図７】収納容器とペーパーホルダーの関係を示す分解斜視図である。
【図８】第２実施形態の収納容器の底面図である。
【図９】収納容器の一部断面側面図である。
【図１０】第３実施形態の収納容器の一部断面側面図である。
【符号の説明】
Ａ、Ａａ          収納容器
Ａ１、６１        容器本体
Ａ２、Ａ２ａ      底蓋
Ｂ                ペーパーホルダー
１                頂壁
２                側周壁
４                開閉蓋
１５、４０、７１  底板
１６、４１、７４  取付板
１７、４２        連結部
１８、４３          係合部
１９、４４        凹部
２０、４６、７２  取付凹部
２１、４５        軸受け部
２２、４７        挿入部
２５、５０、７３  取付片
２６、４９        枢着ピン
２８              内壁
２９              外壁
３５              固定板
３６              側板
３７              ペーパー押え
３８              差込口
３９              トイレットペーパー
５２              切込み
５３              ストッパー板
６０              上蓋
６２              頂壁
６３、６６        側周壁
６７              底壁
７０              接地端縁
【図１】
2004352338.tif 000003
【図２】
2004352338.tif 000004
【図３】
2004352338.tif 000005
【図４】
2004352338.tif 000006
【図５】
2004352338.tif 000007
【図６】
2004352338.tif 000008
【図７】
2004352338.tif 000009
【図８】
2004352338.tif 000010
【図９】
2004352338.tif 000011
【図１０】
2004352338.tif 000012